(57)【特許請求の範囲】
【請求項１】
開口部を設けられた本体と、
加熱用の電磁波を発生し、前記本体内に前記電磁波を照射する発生部と、
前記開口部を覆い、被加熱物を出し入れするためのドアと、
前記被加熱物に貼り付けられた無線ＩＣタグに含まれる情報を読取る読取部と、
前記ドアを閉じたときには、前記発生部から照射される電磁波の外部への漏れを遮断する遮断部とを備え、
前記遮断部は、前記ドアを閉じたときに前記ドアと前記本体との隙間に位置するように前記ドアまたは前記本体側に配置され、かつ前記開口部を囲む形状で設けられ、
前記読取部は、前記ドアまたは前記本体に設けられ、前記ドアを閉じたときに前記ドアと前記本体の前記開口部周辺の側面とが近接して向かい合う部分に設けられ、かつ前記ドアを閉じたときに前記遮断部の外側に設けられた加熱装置。
【請求項２】
前記読取部と前記遮断部とが前記ドアに設けられた請求項１記載の加熱装置。
【請求項３】
前記読取部は前記ドアに設けられ、前記遮断部は前記本体に設けられた請求項１記載の加熱装置。
【請求項４】
前記読取部は前記本体に設けられ、前記遮断部は前記ドアに設けられた請求項１記載の加熱装置。
【請求項５】
前記読取部は前記開口部を囲むように設けられた請求項４記載の加熱装置。
【請求項６】
前記読取部と前記遮断部とが前記本体に設けられた請求項１記載の加熱装置。
【請求項７】
前記読取部は前記開口部を囲むように設けられた請求項４記載の加熱装置。
【請求項８】
前記ドアまたは前記本体のうち前記読取部を設けられた方が金属で構成される場合に、前記ドアまたは前記本体のうち前記読取部を設けられた方と前記読取部との間に設けられ、前記金属が前記読取部と前記無線ＩＣタグとの通信を阻害することを防ぐ取付部をさらに備えた請求項１記載の加熱装置。
【請求項９】
前記ドアと前記本体とを接続する接続部を有し、前記読取部は前記接続部近傍に設けられた請求項１記載の加熱装置。
【請求項１０】
前記ドアの開閉を検知する開閉センサと、
前記ドアを開いたときにだけ前記読取部に通電する制御部と、
をさらに備えた請求項１記載の加熱装置。
【発明の詳細な説明】
【技術分野】
【０００１】
本発明は、加熱調理に用いる電子レンジなどの加熱装置に関する。
【背景技術】
【０００２】
無線ＩＣタグ（以下、ＩＣタグ）に情報を書き込み、これを読込むことによって非接触で情報を通信する技術の応用が進んでいる。この一環として、内容物、調理方法などの情報を含むＩＣタグを食品容器やパッケージに貼付することが検討されている。そしてＩＣタグの情報を読み取り、食品を最適な条件で調理する加熱装置が例えば特開２００１−３１７７４１号公報に開示されている。この加熱装置にはＩＣタグから情報を読み込む読取部が設けられている。
【０００３】
しかしながら、この読取部は強烈な加熱用電磁波を照射されると破壊される可能性が高い。
【発明の開示】
【０００４】
本発明の加熱装置は開口部を設けられた本体と、加熱用の電磁波を発生する発生部と、被加熱物を出し入れするためのドアと、読取部と、遮断部とを有する。発生部は本体内に電磁波を照射する。ドアは本体の開口部を覆っている。読取部は被加熱物に貼り付けられた無線ＩＣタグに含まれる情報を読取る。遮断部は、ドアを閉じた時には、発生部による電磁波から読取部を遮断するとともに、ドアを開けた時には読取部の遮断を解除する。この構成では、強力な加熱用電磁波により読取部が破壊されるトラブルが回避できる。
【発明を実施するための最良の形態】
【０００５】
（実施の形態１）
図１は本発明の実施の形態による加熱装置である電子レンジの構成を示す機能構成ブロック図である。図２は本発明の実施の形態１における電子レンジの構成を示す斜視図であり、図３はドアの構成を示す平面図である。
【０００６】
本体１には開口部８が設けられ、接続部１２を介して開口部８を覆うドア２が取り付けられている。接続部１２はドア２の一辺に沿って設けられ、ドア２を本体１に対して開閉可能なように接続している。加熱用の電磁波を発生する発生部７は本体１に組み込まれ、本体１内の調理空間１５に電磁波を照射する。ユーザは、ドア２を開けて開口部８から調理空間１５へ加熱調理すべき食品等の被加熱物９を挿入する。被加熱物９には無線ＩＣタグ（以下、ＩＣタグ）１０が貼り付けられている。
【０００７】
ドア２の外周部分にはＩＣタグ１０に含まれる情報を読取る読取部３が設けられている。すなわち、ドア２の外周部分は読取部３の配設部である。遮断部５は、ドア２の外周部分の、読取部３の内側になる位置に設けられている。制御部６は、読取部３の読み取った情報に基づいて発生部７のＯＮ／ＯＦＦ、出力の大きさや稼動時間等を制御する。また、制御部６は、開口部８近傍に設けられた開閉センサ（以下、センサ）４の検知結果を受信する。
【０００８】
本体１やドア２はステンレスや塗装された鋼板などの金属からなり、接続部１２は蝶番等の機構部品で構成されている。発生部７は例えば２．４５ＧＨｚの周波数の電磁波を発生するマグネトロン等を有する。
【０００９】
ＩＣタグ１０は、ＩＣチップとそれに接続されたアンテナから構成されている。ＩＣタグ１０は、読取部３が発生する電波領域内に入るとこの電波により給電されるため電池等の電源を有していない。アンテナは例えば、アクリル等の樹脂薄板に銅箔を貼り付けた構造を有している。ＩＣチップとしては、ＲＯＭや非揮発性のＲＡＭが用いられる。読取部３からの電波にはコマンドが含まれているので、そのコマンドに応じてＩＣタグ１０は個別ＩＤを含むデータをアンテナから読取部３に返送する。本実施の形態のように電子レンジに用いる場合、ＩＣチップには予め加熱時間、加熱電磁波出力等の調理方法の情報が書き込まれており、ＩＣタグ１０はこれらの情報を個別ＩＤとともに送信する。
【００１０】
読取部３は、アンテナと、ＩＣタグ１０と電波を送受信するための送受信回路であるＲＦ部、ＲＦ制御部、ホストインターフェイス等の処理回路とから構成されている。一般的な無線ＩＣタグ用読取装置には発信出力やアンテナの大きさによって決まる交信距離の大小により、種々のものがある。この中で本実施の形態のような用途では数ｃｍから数十ｃｍ程度の交信距離のタイプが適している。
【００１１】
なお読取部３をアンテナだけで構成しておき別途処理回路が独立して存在していてもよい。また、図２、図３では読取部３のアンテナを一列状に描写しているが、ドア２の外周に沿って「Ｃ」の字、「Ｌ」の字、四角などの形状であっても構わない。ＩＣタグ１０や読取部３の一例は例えば特開２００１−３１７７４１号公報に開示されている。
【００１２】
遮断部５は例えばステンレス等の金属板を折り曲げ、ドア２と本体１との隙間にチョーク空洞を形成したチョーク構造部分である。これ以外に、遮断部５は金属製の凸部として設け、ドア２を閉じたときにこの凸部に嵌合する溝を本体１の開口部８周囲に設けることにより構成してもよい。あるいは、スポンジメタルやメタルウールのように、空隙が小さい材料を用いてもよい。発生部７からの電磁波の周波数が２．４５ＧＨｚの場合には、空隙が１．４ｍｍ以下であればよい。このいずれかの構成による遮断部５は、発生部７からの加熱用電磁波から読取部３を遮断する。なお、遮断部５に用いる金属の種類は特に限定されない。
【００１３】
センサ４はたとえばプッシュスイッチや、ランプと赤外線センサとの組み合わせなどで構成される。制御部６は専用のハードウェアで構成してもよく、また一般的なマイクロコンピュータに制御ソフトを読み込ませて構成してもよい。
【００１４】
この構成において、被加熱物９を加熱調理するときの電子レンジの動作について説明する。まず、ユーザがドア２を開け、開口部８から被加熱物９を調理空間１５に挿入する。このとき読取部３はＩＣタグ１０に書き込まれている情報を読み込み、制御部６に送る。遮断部５は、ドア２の外周部分の、読取部３の内側になる位置に設けられているのでドア２を開けた時には読取部３の遮断が解除される。そのため、遮断部５は読取部３がＩＣタグ１０に含まれる情報を読み取るのを妨げない。制御部６はこの情報に基づき、発生部７の加熱条件を設定する。そしてセンサ４からの出力によりドア２が閉じた状態にあることを検知すると、制御部６は設定した加熱条件で被加熱物９を加熱する。
【００１５】
このとき遮断部５は、ドア２の外周部分の、読取部３の内側になる位置に設けられている。すなわち、ドア２を閉じた状態で、遮断部５は発生部７による電磁波から読取部３を遮断する。このようにドア２が閉じられた時には遮断部５の外側には加熱調理のための強烈な電磁波は届かない。このようにして遮断部５は読取部３が破壊されるのを防ぐ。
【００１６】
一般的な電子レンジでは、ドア２に設けられた窓の視認性を確保しつつ外部への電磁波漏洩を防ぐためにパンチングメタルが埋め込まれている。またその周囲には外部への電磁波漏洩を防ぐためにチョーク構造が形成されている。このような構成は例えば、特開２００１−２６７０６０号公報に開示されている。したがって図２、図３に示す構成は一般的な電子レンジの構成において読取部３をこのチョーク構造の外側に設ければよい。またこのようなチョーク構造とは別に遮断部５を設ける場合には図３のようにドア２の全周に設ける必要はない。ドア２を閉じた状態で少なくとも開口部８と読取部３との間に遮断部５が設けられていればよい。
【００１７】
なお、読取部３をドア２に設置する場合、設置部分は金属製である場合が多く、一般的に金属は読取部３の性能を著しく劣化させることがある。そのため、図４に示すように、読取部３と、読取部３を取り付けられたドア２との間に、読取部３とＩＣタグ１０との通信に影響しない材料からなる取付部１１が設けられていることが好ましい。取付部１１は例えばエポキシやポリウレタン等の樹脂やセラミック等で構成される。取付部１１を金属部品と読取部３との間に挟みこむことにより、電磁波通信には好影響が期待できる。これにより、一般的に使われている金属製のドアからの影響を受けにくくなるため、読取部３がより安定して動作する。すなわち、取付部１１は読取部３の配設部であるドア２が金属で構成される場合に、読取部３と配設部との間に設けられ、配設部が読取部３とＩＣタグ１０との通信を阻害することを防ぐ。なお、後述するように読取部３を本体１に配置する場合のように本体１の開口部８周辺が読取部３の配設部となる場合にも同様に、金属製の本体１と読取部３との間に取付部１１を設けることが好ましい。
【００１８】
図２、図３ではドア２に読取部３、遮断部５が配置されているが、この位置に限定する必要はなく、読取部３が遮断部５によって調理加熱のための電磁波を受けないように配置されていればよい。以下、読取部３と遮断部５との他の配置について説明する。
【００１９】
図５は本実施の形態における電子レンジの他の構成を示す斜視図、図６は図５に示す電子レンジのドアを閉めた状態におけるドアと開口部周辺との構成を示す透視平面図である。
【００２０】
図５、図６に示す構造が図２、図３に示す構造と異なる点は、遮断部５の配置である。すなわち、読取部３はドア２の外周部分に設けられ、遮断部５はドア２を閉じたとき、読取部３の内側になる位置であって、本体１の開口部８周辺に設けられている。このような構成でも遮断部５は、ドア２が閉じられた時には、発生部７による電磁波から読取部３を遮断するとともに、ドア２が開いている時には読取部３の遮断が解除される。なお、遮断部５は図５、図６に示すように開口部８を囲むように設けることが好ましい。このようにすることで発生部７からの電磁波が読取部３へ回り込むことが防止される。
【００２１】
図７は本実施の形態における電子レンジのさらに他の構成を示す斜視図、図８は図７に示す電子レンジのドアを閉めた状態におけるドアと開口部周辺との構成を示す透視平面図である。
【００２２】
図７、図８に示す構造が図２、図３に示す構造と異なる点は、読取部３の配置である。すなわち読取部３は本体１の開口部８周辺に設けられ、遮断部５はドア２を閉じたとき、読取部３の内側になる位置であって、ドア２の外周部分に設けられている。すなわちこの構成では、開口部８周辺部分は読取部３の配設部である。このような構成でも遮断部５は、ドア２が閉じられた時には、発生部７による電磁波から読取部３を遮断するとともに、ドア２が開いている時には読取部３の遮断が解除される。
【００２３】
図９は本実施の形態における電子レンジのさらに他の構成を示す斜視図、図１０は図９に示す電子レンジのドアを閉めた状態におけるドアと開口部周辺との構成を示す透視平面図である。
【００２４】
図９、図１０に示す構造が図７、図８に示す構造と異なる点は、読取部３の形状である。すなわち読取部３は本体１の開口部８を囲むように設けられている。遮断部５はドア２を閉じたとき、読取部３の内側になる位置であって、ドア２の外周部分に設けられている。このような構成でも遮断部５は、ドア２が閉じられた時には、発生部７による電磁波から読取部３を遮断するとともに、ドア２が開いている時には読取部３の遮断が解除される。さらに、読取部３が開口部８を囲むように設けられているので、被加熱物９がどの位置から本体１内に挿入されても、読取部３はより確実にＩＣタグ１０の情報を読み取ることができる。
【００２５】
図１１は本実施の形態における電子レンジの別の構成を示す斜視図、図１２は図１１に示す電子レンジの開口部の構成を示す平面図である。
【００２６】
図１１、図１２に示す構造が図２、図３に示す構造と異なる点は、読取部３、遮断部５の配置である。すなわち読取部３は本体１の開口部８周辺に設けられ、遮断部５は開口部８における読取部３の内側に設けられている。このような構成でも遮断部５は、ドア２が閉じられた時には、発生部７による電磁波から読取部３を遮断するとともに、ドア２が開いている時には読取部３の遮断が解除される。なお、図９、図１０に示す構造と同様に、読取部３を本体１の開口部８を囲むように設けてもよい。
【００２７】
図１３は本実施の形態における電子レンジのさらに別の構成における本体開口部周辺の平面図である。図１３に示す構造が図１２に示す構造と異なる点は、遮断部５の形状と配置である。すなわち読取部３は本体１の開口部８周辺に設けられ、遮断部５は開口部８における読取部３の内側を含み、読取部３を囲むように設けられている。このような構成でも遮断部５は、ドア２が閉じられた時には、発生部７による電磁波から読取部３を遮断するとともに、ドア２が開いている時には読取部３の遮断が解除される。
【００２８】
なお、読取部３は図２、図５、図７、図１１に示すように接続部１２の近傍に設けられていることが好ましい。接続部１２の近傍は被加熱物９の出し入れには必ず直近を通過せざる得ない部位である。このような部位に読取部３を設置することで、読取部３はより確実にＩＣタグ１０の情報を読み取ることができる。またこれらの図では接続部１２が開口部８の下側に設けられ、ドア２は上下方向に開閉するが、これに限定されない。接続部１２は開口部８の上側や、上下方向に伸びる左右の辺のいずれか側に設けられていてもよい。
【００２９】
一方、ドア２が横開きの場合には、被加熱物９はドア２と反対側から本体１内に挿入される。例えば、接続部１２が開口部８の左側の辺に沿って設けられている場合、ユーザは左手でドア２を開けて右手で被加熱物９を本体１内に挿入する。このような場合、読取部３を接続部１２の設けられた辺に対向する辺側の開口部８周辺に設けることが好ましい。これによってＩＣタグ１０を添付された被加熱物９が読取部３の近くを通りやすくなり、読取部３はＩＣタグ１０の情報を確実に読み取ることができる。
【００３０】
また、読取部３は図２、図５、図７、図１１に示すようにドア２の中央付近に読取部３を設置することが好ましい。すなわち、接続部１２により本体１とドア２とが接続されている場合、ドア２の接続部１２に最も近い辺の中央付近に読取部３を設置することが好ましい。これにより読取部３は、被加熱物９に貼付されたＩＣタグ１０以外の無線ＩＣタグから最も離れた位置になる。そのため、関係のない周囲の無線ＩＣタグを間違えて読取ってしまうことが防止される。
【００３１】
（実施の形態２）
図１４は本発明の実施の形態２による加熱装置である電子レンジの構成を示す斜視図である。図１５、図１６はそれぞれ、図１４に示す電子レンジのドアが開いている状態、ドアが閉じた状態での断面図である。機能ブロック構成は実施の形態１における図１と同様である。すなわち、本実施の形態が実施の形態１と異なる点は、読取部の配置と遮断部の構成とである。それ以外の構成は実施の形態１と同様であるので詳細な説明を省略する。
【００３２】
本実施の形態では、読取部３は本体１の内部に設けられている。具体的には、調理空間１５とは窓１６を設けられた仕切り板１４によって隔てられた位置に設けられている。仕切り板１４は加熱用電磁波を遮断する。
【００３３】
遮断部５Ａは、ドア２が開いている状態では図１４、図１５に示すように、遮断部５Ａがバネ１３の付勢力により本体１から飛び出している。この状態で読取部３は、窓１６から調理空間１５に露出して、本体１の中の調理空間１５に入れられた無線ＩＣタグ（以下、ＩＣタグ）１０と通信可能で、情報を読み取る。一方、図１６に示すように、ドア２を閉じると遮断部５Ａはドア２に押されバネ１３が伸び、読取部３を調理空間１５から遮断する位置に移動し、窓１６を完全に塞ぐ。すなわち、遮断部５Ａはドア２を閉じると本体１内の、発生部２と読取部３とを遮断する位置に移動する。この結果、読取部３は調理空間１５から電磁的に隔離されるので、加熱用電磁波が読取部３に照射されず、読取部３は破壊されない。このようにドア２とバネ１３とは遮断部５Ａを移動させる。すなわち、ドア２自体が遮断部５Ａを電磁波遮断位置に移動させる移動機構を構成している。
【００３４】
遮断部５Ａは金属に代表される導電性の優れた物質、または導電性カーボンや導電性樹脂等を表面に層形成した樹脂などの絶縁性材料で構成されている。ドア２に用いられているのと同様のパンチングメタルでもよい。このような材料で構成することにより遮断部５Ａは発生部７からの電磁波から読取部３を遮断する。なお、仕切り板１４にも遮断部５Ａと同様な材料を用いれば、読取部３がより確実に保護されるので好ましい。
【００３５】
なお、図１４〜図１６では本体１の天井部分に読取部３を配置してあるが、必ずしもこの位置でなくてもよく、側面のいずれか、あるいは底部であっても構わない。確実にＩＣタグ１０の情報を読取部３が読み取るために、窓１６は開口部８側から本体１の奥行き方向の中央付近までの間に設けられていることが好ましい。
【００３６】
また、本実施の形態では、ドア２とバネ１３とを用いて遮断部５Ａを移動させている。すなわち、ドア２自体が遮断部５Ａを移動させる移動機構を構成する。これ以外の移動機構で遮断部５Ａを移動させてもよい。この場合の機能ブロック構成を図１７に示す。この構成では、図１に示す構成に加え、遮断部５Ａを移動させる移動機構１８が追加されている。
【００３７】
移動機構１８は例えば、本体１に具備され、遮断部５Ａを操作するモータなどのアクチュエータである。制御部６は、開閉センサ（以下、センサ）４の出力に応じて移動機構１８を制御して遮断部５Ａを動作させる。また、ドア２の開閉に連動して動くギアで移動機構１８を構成してもよい。
【００３８】
また図１５では、スライド式の遮断部５Ａを示しているが、これに限定されず、例えば図１８の断面図に示すように折りたたみ式の遮断部５Ｂでもよい。あるいは図１９Ａの平面図に示すように、回転スライド式のハッチのような構成の遮断部５Ｃでもよい。図１９Ｂは遮断部５Ｃを用いた場合の読取部３周辺の断面図を示している。遮断部５Ｂ、５Ｃは移動機構１８により駆動される。
【００３９】
以上の実施の形態において、制御部６は開閉センサ４によってドア２が開いているのか閉じているのかを検知し、ドア２が開かれている時にだけ読取部３に通電することが好ましい。これにより必要な時にだけ読取部３が動作するので常時読取部３を作動させておく必要がなくなり消費エネルギが少なくなる。
【００４０】
なお、以上の実施の形態において、加熱装置として電子レンジを例に説明したがこれに限定されない。電磁波によって被加熱物を加熱するのであれば、被加熱物を食品に限定する必要はなく、化学実験用の加熱装置等でもよい。また、これらの実施の形態によって本発明が限定されるものではない。
【産業上の利用可能性】
【００４１】
本発明の加熱装置では、ドアが開いている状態では読取部は無線ＩＣタグの情報を読み取り可能になっている。一方、ドアが閉まっている状態では読取部が、遮断部により保護されている。そのため、読取部は無線ＩＣタグの情報を読み取ることができるとともに、加熱調理のための電磁波によって破壊されることがない。すなわち利便性が高く信頼性の高い加熱装置が得られる。
【図面の簡単な説明】
【００４２】
【図１】本発明の実施の形態における電子レンジの機能構成ブロック図
【図２】本発明の実施の形態１における電子レンジの構成を示す斜視図
【図３】図２に示す電子レンジのドアの構成を示す平面図
【図４】図３に破線で示した読取部周辺の拡大図
【図５】本発明の実施の形態１における電子レンジの他の構成を示す斜視図
【図６】図５に示す電子レンジのドアと本体開口部周辺との構成を示す透視平面図
【図７】本発明の実施の形態１における電子レンジのさらに他の構成を示す斜視図
【図８】図７に示す電子レンジのドアと本体開口部周辺との構成を示す透視平面図
【図９】本発明の実施の形態１における電子レンジのさらに他の構成を示す斜視図
【図１０】図９に示す電子レンジのドアと本体開口部周辺との構成を示す透視平面図
【図１１】本発明の実施の形態１における電子レンジの別の構成を示す斜視図
【図１２】図１１に示す電子レンジの本体開口部周辺の構成を示す平面図
【図１３】本発明の実施の形態１における電子レンジのさらに別の構成における本体開口部周辺の平面図
【図１４】本発明の実施の形態２による電子レンジの斜視図
【図１５】図１４に示す電子レンジのドアが開いた状態を示す断面図
【図１６】図１４に示す電子レンジのドアが閉じた状態を示す断面図
【図１７】本発明の実施の形態２による電子レンジの機能ブロック図
【図１８】本発明の実施の形態２による電子レンジの遮断部の他の構成を示す要部断面図
【図１９Ａ】本発明の実施の形態２による電子レンジの遮断部のさらに他の構成を示す要部平面図
【図１９Ｂ】図１９Ａに示す遮断部の他の構成を示す要部断面図
【符号の説明】
【００４３】
１    本体
２    ドア
３    読取部
４    開閉センサ
５，５Ａ，５Ｂ，５Ｃ    遮断部
６    制御部
７    発生部
８    開口部
９    被加熱物
１０    無線ＩＣタグ
１１    取付部
１２    接続部
１３    バネ
１４    仕切り板
１５    調理空間
１６    窓
１７    スライド部
１８    移動機構
【図１】
0004415991.tif 000002
【図２】
0004415991.tif 000003
【図３】
0004415991.tif 000004
【図４】
0004415991.tif 000005
【図５】
0004415991.tif 000006
【図６】
0004415991.tif 000007
【図７】
0004415991.tif 000008
【図８】
0004415991.tif 000009
【図９】
0004415991.tif 000010
【図１０】
0004415991.tif 000011
【図１１】
0004415991.tif 000012
【図１２】
0004415991.tif 000013
【図１３】
0004415991.tif 000014
【図１４】
0004415991.tif 000015
【図１５】
0004415991.tif 000016
【図１６】
0004415991.tif 000017
【図１７】
0004415991.tif 000018
【図１８】
0004415991.tif 000019
【図１９Ａ】
0004415991.tif 000020
【図１９Ｂ】
0004415991.tif 000021